(57)【特許請求の範囲】
【請求項１】
表示データが入力されるインターフェース部と、
前記表示データのデータ処理を行うデータ処理部と、
前記データ処理部からの前記表示データに基づいて表示パネルを駆動する駆動部と、
第１色成分入力チャンネルの前記表示データを前記インターフェース部に入力する第１色成分入力端子と、
第２色成分入力チャンネルの前記表示データを前記インターフェース部に入力する第２色成分入力端子と、
第３色成分入力チャンネルの前記表示データを前記インターフェース部に入力する第３色成分入力端子と、
を含み、
モノクロ表示モードとカラー表示モードとが設定されることが可能であり、
第１端子設定モードと第２端子設定モードを有し、
前記第１端子設定モードでは、前記インターフェース部は、前記第１色成分入力端子の前記表示データを受け付け、前記第２色成分入力端子、前記第３色成分入力端子の前記表示データを受け付けず、
前記第２端子設定モードでは、前記インターフェース部は、前記第１色成分入力端子、前記第２色成分入力端子、前記第３色成分入力端子の前記表示データを受け付け、
前記データ処理部は、
前記第１端子設定モードにおいて前記モノクロ表示モードに設定された場合、前記第１色成分入力端子に入力された前記表示データを、前記表示パネルのピクセルに対応した第１色成分チャンネルの第１出力データ、前記ピクセルと同一ピクセルに対応した第２色成分チャンネルの第２出力データ、及び前記同一ピクセルに対応した第３色成分チャンネルの第３出力データとして出力するデータ処理を行い、
前記第２端子設定モードにおいて前記モノクロ表示モードに設定された場合、前記第１色成分入力端子に入力された前記表示データを前記第１出力データとして出力し、前記第２色成分入力端子に入力された前記表示データを前記第２出力データとして出力し、前記第３色成分入力端子に入力された前記表示データを前記第３出力データとして出力するデータ処理を行い、
前記カラー表示モードに設定された場合、前記第１色成分入力端子に入力された前記表示データを前記第１出力データとして出力し、前記第２色成分入力端子に入力された前記表示データを前記第２出力データとして出力し、前記第３色成分入力端子に入力された前記表示データを前記第３出力データとして出力するデータ処理を行い、
前記駆動部は、
前記第１出力データ、前記第２出力データ、及び前記第３出力データに基づいて、前記表示パネルの駆動を行うことを特徴とする回路装置。
【請求項２】
請求項１において、
前記駆動部は、
前記第１出力データに基づいて、前記同一ピクセルを構成する第１サブピクセルを駆動し、前記第２出力データに基づいて、前記同一ピクセルを構成する第２サブピクセルを駆動し、前記第３出力データに基づいて、前記同一ピクセルを構成する第３サブピクセルを駆動することを特徴とする回路装置。
【請求項３】
請求項１又は２において、
前記モノクロ表示モード、前記カラー表示モードを設定するための端子又はモード設定部を有することを特徴とする回路装置。
【請求項４】
請求項１乃至３のいずれかにおいて、
前記インターフェース部は、差動入力の前記表示データが入力されるインターフェース部であることを特徴とする回路装置。
【請求項５】
請求項１乃至４のいずれかに記載された回路装置と、
前記表示パネルと、
を含むことを特徴とする電気光学装置。
【請求項６】
請求項１乃至４のいずれかに記載された回路装置を含むことを特徴とする電子機器。
【発明の詳細な説明】
【技術分野】
【０００１】
本発明は、回路装置、電気光学装置及び電子機器等に関する。
【背景技術】
【０００２】
表示パネルには、各ピクセル（又は各サブピクセル）に異なる色のカラーフィルターが設けられたカラー表示パネルと、各ピクセルにカラーフィルターが設けられていない（又は同一色のフィルターが設けられた）モノクロ表示パネルがある。例えば部品の共通化等を行うために、カラー表示パネルとモノクロ表示パネルに同じ表示ドライバーを組み合わせて表示装置を構成する場合がある。例えば特許文献１には、カラー液晶駆動用の表示ドライバーを用いて、モノクロ液晶の表示パネルを駆動する液晶表示装置の発明が開示されている。
【先行技術文献】
【特許文献】
【０００３】
【特許文献１】特開２００５−１３４６４５号公報
【発明の概要】
【発明が解決しようとする課題】
【０００４】
上記のようにカラー表示パネルとモノクロ表示パネルに同じ表示ドライバーを組み合わせる場合、各組み合わせ間での変更（例えば表示パネル、表示コントローラー、表示ドライバーを含む表示装置の制御の変更又は設計変更）ができるだけ小さい方がよいという課題がある。
【０００５】
例えば特許文献１の従来技術では、モノクロ表示パネルの１ピクセルに対して１データ（６ビット）を供給する。表示コントローラーは、モノクロモードにおいて単色のシリアルデータを出力するので、３ピクセル分のデータをシリアルに出力することになる。ソースドライバーはカラー表示用であるため３ピクセル（カラー表示におけるＲＧＢのサブピクセルに対応する）を同時に駆動するため、シリアルの３ピクセル分のデータをパラレルデータに変換してソースドライバーに供給している。このとき、パラレルデータをラッチするためのクロックに対して、シリアルデータをラッチするためのクロックは周波数が３倍となっている。
【０００６】
即ち、この従来技術では、カラー表示に比べてモノクロ表示では表示コントローラーのデータ出力周波数が３倍になるため、表示コントローラーの表示制御を変える必要がある。また、モノクロ表示ではデータをシリアルパラレル変換してソースドライバーに供給するため、モノクロ表示用にシリアルパラレル変換回路を設ける必要がある。
【０００７】
本発明の幾つかの態様によれば、カラー表示の表示装置とモノクロ表示の表示装置の間での制御の変更又は設計変更を低減できる回路装置、電気光学装置及び電子機器等を提供できる。
【課題を解決するための手段】
【０００８】
本発明の一態様は、表示データが入力されるインターフェース部と、前記表示データのデータ処理を行うデータ処理部と、前記データ処理部からの前記表示データに基づいて表示パネルを駆動する駆動部と、を含み、前記データ処理部は、前記インターフェース部の第１色成分入力チャンネルに入力された前記表示データを、同じピクセルの第１色成分チャンネル、第２色成分チャンネル、第３色成分チャンネルに設定するデータ処理を行い、前記駆動部は、前記第１色成分チャンネル、前記第２色成分チャンネル、前記第３色成分チャンネルに設定された前記表示データに基づいて、前記表示パネルの駆動を行う回路装置に関係する。
【０００９】
本発明の一態様によれば、インターフェース部の第１色成分入力チャンネルに入力された表示データが、同じピクセルの第１色成分チャンネル、第２色成分チャンネル、第３色成分チャンネルに設定され、その設定された表示データに基づいて表示パネルが駆動される。即ち、インターフェース部の第１色成分チャンネルにモノクロ表示データを入力すれば、そのモノクロ表示データが回路装置の内部で第２色成分チャンネル、第３色成分チャンネルに設定される。これにより、第１色成分チャンネルのモノクロ表示データでピクセルを駆動することが可能となり、カラー表示の表示装置とモノクロ表示の表示装置の間での制御の変更又は設計変更を低減できる。
【００１０】
また本発明の一態様では、前記駆動部は、前記第１色成分チャンネルに設定された前記表示データに基づいて、前記ピクセルを構成する第１サブピクセルを駆動し、前記第２色成分チャンネルに設定された前記表示データに基づいて、前記ピクセルを構成する第２サブピクセルを駆動し、前記第３色成分チャンネルに設定された前記表示データに基づいて、前記ピクセルを構成する第３サブピクセルを駆動してもよい。
【００１１】
このようにすれば、同一のピクセルを構成する第１〜第３サブピクセルには、同一データ電圧が書き込まれることになる。これにより、カラー表示パネルと、そのカラー表示パネルとピクセルの構成が同様なモノクロ表示パネル（例えばカラー表示パネルからカラーフィルターを取り除いて構成されたモノクロ表示パネル）を同じ回路装置で駆動できる。回路装置により第１色成分チャンネルの表示データが第２色成分チャンネル、第３色成分チャンネルに設定されるので、表示コントローラーからのデータ転送レートを変更せずにカラー表示とモノクロ表示を切り替えることができる。
【００１２】
また本発明の一態様では、回路装置はモノクロ表示モードとカラー表示モードとが設定されることが可能であり、前記データ処理部は、前記モノクロ表示モードに設定されていた場合には、前記インターフェース部の前記第１色成分入力チャンネルに入力された前記表示データを、前記ピクセルの前記第１色成分チャンネル、前記第２色成分チャンネル、前記第３色成分チャンネルに設定するデータ処理を行い、前記カラー表示モードに設定されていた場合には、前記インターフェース部の前記第１色成分入力チャンネルに入力された前記表示データを前記ピクセルの前記第１色成分チャンネルに設定し、前記インターフェース部の第２色成分入力チャンネルに入力された前記表示データを前記ピクセルの前記第２色成分チャンネルに設定し、前記インターフェース部の第３色成分入力チャンネルに入力された前記表示データを、前記ピクセルの前記第３色成分チャンネルに設定するデータ処理を行ってもよい。
【００１３】
このように、回路装置がモノクロ表示モードと、カラー表示モードを有することによって、カラー表示パネルと、そのカラー表示パネルとピクセルの構成が同様なモノクロ表示パネルを同じ回路装置で駆動できる。即ち、これらのモードを切り替えることにより同じ回路装置をカラー表示パネルと上記のモノクロ表示パネルに組み合わせることが可能となる。
【００１４】
また本発明の一態様では、回路装置は、前記モノクロ表示モード、前記カラー表示モードを設定するための端子又はモード設定部を有してもよい。
【００１５】
以上のように、モノクロ表示モード、カラー表示モードを設定するための端子又はモード設定部が設けられることで、回路装置に組み合わせる表示パネルに応じて表示モードを設定できる。
【００１６】
また本発明の一態様では、前記第１色成分入力チャンネルの前記表示データを前記インターフェース部に入力する第１色成分入力端子と、前記第２色成分入力チャンネルの前記表示データを前記インターフェース部に入力する第２色成分入力端子と、前記第３色成分入力チャンネルの前記表示データを前記インターフェース部に入力する第３色成分入力端子と、を含み、前記データ処理部は、前記モノクロ表示モードに設定されていた場合には、前記第１色成分入力端子に入力された前記表示データを、前記ピクセルの前記第１色成分チャンネル、前記第２色成分チャンネル、前記第３色成分チャンネルに設定するデータ処理を行ってもよい。
【００１７】
本発明の一態様によれば、カラー表示モードでは第１〜第３色成分チャンネルに対応する入力端子に第１〜第３色成分チャンネルの表示データが入力され、モノクロ表示モードでは第１色成分チャンネルに対応する入力端子にモノクロ表示データが入力され、その表示データが第２色成分チャンネル、第３色成分チャンネルに設定される。これにより、モノクロ表示モードとカラー表示モードで同じデータレートで表示データを転送でき、制御の変更又は設計変更を低減できる。
【００１８】
また本発明の一態様では、回路装置は第１端子設定モードと第２端子設定モードを有し、前記第１端子設定モードでは、前記インターフェース部は、前記第１色成分入力端子の前記表示データを受け付け、前記第２色成分入力端子、前記第３色成分入力端子の前記表示データを受け付けず、前記第２端子設定モードでは、前記インターフェース部は、前記第１色成分入力端子、前記第２色成分入力端子、前記第３色成分入力端子の前記表示データを受け付け、前記第１端子設定モードにおいて、前記モノクロ表示モードに設定された場合に、前記データ処理部は、前記第１色成分入力チャンネルの前記表示データとして前記第１色成分入力端子に入力された前記表示データを、前記ピクセルの前記第１色成分チャンネル、前記第２色成分チャンネル、前記第３色成分チャンネルに設定するデータ処理を行ってもよい。
【００１９】
このようにすれば、第１端子設定モード又は第２端子設定モードを設定することで、表示データをチャンネル間で複製するか否かを設定できる。そして第１端子設定モードを設定した場合には、モノクロ表示モードにおいて表示データをチャンネル間で複製し、同じピクセルの３つのサブピクセルに同じデータ電圧を書き込むことができる。
【００２０】
また本発明の一態様では、前記第２端子設定モードにおいて、前記モノクロ表示モードに設定された場合に、前記データ処理部は、前記インターフェース部の前記第１色成分入力チャンネル、前記第２色成分入力チャンネル、前記第３色成分入力チャンネルに入力された前記表示データを、前記ピクセルの前記第１色成分チャンネル、前記第２色成分チャンネル、前記第３色成分チャンネルに設定するデータ処理を行ってもよい。
【００２１】
このようにすれば、第２端子設定モードを設定した場合には、表示データをチャンネル間で複製せず、各色成分チャンネルに入力された表示データで表示処理を行うことができる。これにより、第２端子設定モード且つモノクロ表示モードでは、１ピクセルの中の３サブピクセルに別個のデータ電圧が書き込まれ、各サブピクセルがモノクロ画像の表示単位となる。これにより、１ピクセルを表示単位とする場合に比べて解像度が３倍となり、高解像なモノクロ表示が可能になる。
【００２２】
また本発明の一態様では、前記インターフェース部は、差動入力の表示データが入力されるインターフェース部であってもよい。
【００２３】
上述した特許文献１のようにモノクロ表示モードにおいてデータ転送レートが３倍になる構成においてＬＶＤＳ方式を採用した場合、ＬＶＤＳの通信速度を３倍に対応させる必要がある。この点、本発明の一態様によればモノクロ表示モードとカラー表示モードのデータ転送レートが同じなので、ＬＶＤＳの高速化が不要になる。
【００２４】
また本発明の他の態様は、上記のいずれかに記載された回路装置と、前記表示パネルと、を含む電気光学装置に関係する。
【００２５】
また本発明の他の態様は、上記のいずれかに記載された回路装置を含む電子機器に関係する。
【図面の簡単な説明】
【００２６】
【図１】本実施形態の回路装置の第１構成例。
【図２】本実施形態の回路装置の動作説明図。
【図３】カラー表示パネルの構成例。
【図４】モノクロ表示パネルの第１構成例。
【図５】モノクロ表示パネルの第２構成例。
【図６】本実施形態の回路装置の第２構成例。
【図７】データ処理部の詳細な構成例。
【図８】第１のラッチ回路、選択回路、第２のラッチ回路の詳細な構成例。
【図９】電気光学装置と電子機器の構成例。
【発明を実施するための形態】
【００２７】
以下、本発明の好適な実施の形態について詳細に説明する。なお以下に説明する本実施形態は特許請求の範囲に記載された本発明の内容を不当に限定するものではなく、本実施形態で説明される構成の全てが本発明の解決手段として必須であるとは限らない。
【００２８】
１．回路装置
図１に、本実施形態の回路装置１００（表示ドライバー）の第１構成例を示す。回路装置１００は、インターフェース部１０（インターフェース回路）、データ処理部２０（データ処理回路）、Ｄ／Ａ変換部３０（Ｄ／Ａ変換回路）、駆動部６０（駆動回路）、第１色成分入力端子ＴＲＤ、第２色成分入力端子ＴＧＤ、第３色成分入力端子ＴＢＤ、クロック入力端子ＴＰＣＫ、モード設定端子ＴＢＳ、ＴＭＣ、インターフェース端子ＴＭＰＩ、データ線駆動端子ＴＳ１〜ＴＳｎ（ｎは２以上の整数）、ゲート線駆動端子ＴＧ１〜ＴＧｍ（ｍは２以上の整数）を含む。駆動部６０は、データ線駆動部４０（データ線駆動回路）、ゲート線駆動部５０（ゲート線駆動回路）を含む。回路装置１００は例えば集積回路装置（ＩＣ）等で実現される。
【００２９】
インターフェース部１０は、外部の処理装置（表示コントローラー。例えばＭＰＵやＣＰＵ、ＡＳＩＣ等）との間の通信を行う。通信は、例えば画像データの転送やクロック信号、同期信号の供給、コマンド（又は制御信号）の転送等である。またインターフェース部１０は、端子設定（実装基板上で設定された端子の入力レベル）を受け付ける。インターフェース部１０は、例えばＩ／Ｏバッファー等で構成される。
【００３０】
データ処理部２０は、インターフェース部１０を介して入力された画像データやクロック信号、同期信号、コマンド等に基づいて、画像データの処理やタイミング制御、回路装置１００の各部の制御等を行う。画像データの処理では、例えば色成分チャンネル間でのデータ複製やデータの入れ替え、画像処理（例えば階調補正）等を行う。タイミング制御では、同期信号や画像データに基づいて表示パネルのゲート線の駆動タイミング（選択タイミング）やデータ線の駆動タイミングを制御する。データ処理部２０は、例えばゲートアレイ等のロジック回路で構成される。
【００３１】
Ｄ／Ａ変換部３０は、データ処理部２０からの画像データをデータ電圧にＤ／Ａ変換する。例えば、Ｄ／Ａ変換部３０は、階調電圧生成回路と複数のＤ／Ａ変換回路（複数の電圧選択回路）を含む。階調電圧生成回路は複数の電圧を出力し、その各電圧は複数の階調値のいずれかに対応している。Ｄ／Ａ変換回路は、階調電圧生成回路からの複数の電圧の中から、画像データに対応する電圧を選択する。階調電圧生成回路は例えばラダー抵抗等で構成され、Ｄ／Ａ変換回路は例えばスイッチ回路等で構成される。
【００３２】
データ線駆動部４０は、Ｄ／Ａ変換部３０からのデータ電圧に基づいてデータ電圧ＳＶ１〜ＳＶｎをデータ線駆動端子ＴＳ１〜ＴＳｎに出力し、表示パネルのデータ線を駆動する。データ線駆動部４０は、複数のデータ線駆動端子に対応して設けられる複数のデータ線駆動回路を含む。各データ線駆動回路は、１つのデータ線駆動端子又は複数のデータ線駆動端子に対応して設けられている。データ線駆動回路が複数のデータ線駆動端子に対応して設けられる場合、そのデータ線駆動回路は、時分割に複数のデータ線を駆動する。なお、Ｄ／Ａ変換部３０には、例えば各データ線駆動回路に対応して１つのＤ／Ａ変換回路が設けられている。
【００３３】
ゲート線駆動部５０は、ゲート線駆動電圧ＧＶ１〜ＧＶｍをゲート線駆動端子ＴＧ１〜ＴＧｍに出力し、表示パネルのゲート線を駆動（選択）する。例えばシングルゲートの表示パネルでは、１つの水平走査期間において１本のゲート線を選択する。或いは、デュアルゲート、トリプルゲートの表示パネルでは、それぞれ１つの水平走査期間において２本、３本のゲート線を時分割に選択する。ゲート線駆動部５０は、例えば複数の電圧出力回路（バッファー、アンプ）で構成され、例えば各ゲート線駆動端子に対応して１つの電圧出力回路が設けられる。
【００３４】
２．回路装置の動作
図２に、本実施形態の回路装置１００の動作説明図を示す。
【００３５】
モード設定信号ＢＳ、ＭＣは、モード設定端子ＴＢＳ、ＴＭＣから入力される信号である。例えば、モード設定端子ＴＢＳ、ＴＭＣは回路装置１００の実装基板上でプルアップ又はプルダウンされており、その信号レベルがモード設定信号ＢＳ、ＭＣとして入力される。モード設定信号ＢＳはデータ入力バスの選択信号（データ入力形式の選択信号）であり、モード設定信号ＭＣはカラー表示モードとモノクロ表示モードの選択信号である。
【００３６】
表示データＲＤ、ＧＤ、ＢＤは、それぞれ第１色成分入力端子ＴＲＤ、第２色成分入力端子ＴＧＤ、第３色成分入力端子ＴＢＤから入力される表示データである。例えば１ピクセル（又は１サブピクセル）の表示データＲＤが８ビット（最大で８ビット）である場合、入力端子ＴＲＤは実際には８個の端子であり、その８個の端子から８ビットの表示データＲＤが入力される。そして、クロック入力端子ＴＰＣＫから入力されるクロック信号ＰＣＫ（ピクセルクロック）に同期して複数ピクセルの表示データＲＤがシリアルに入力される。表示データＧＤ、ＢＤについても同様である。
【００３７】
表示データＲＱ１、ＧＱ１、ＢＱ１は、データ処理部２０の出力データ（図７のラッチ回路２４の出力データ）であり、それぞれ表示パネルのピクセル又はサブピクセルに対応する表示データである。例えば図３で後述するカラー表示パネルの場合、表示データＲＱ１、ＧＱ１、ＢＱ１は、ピクセルＰＸ１の第１色（赤色）のサブピクセルＳＰ１Ｒ、第２色（緑色）のサブピクセルＳＰ１Ｇ、第３色（青色）のサブピクセルＳＰ１Ｂに対応する。或いは図４で後述する、カラー表示パネルからカラーフィルターを取り除いたモノクロ表示パネルの場合、表示データＲＱ１、ＧＱ１、ＢＱ１は、ピクセルＰＸ１のモノクロのサブピクセルＳＰ１１、ＳＰ１２、ＳＰ１３に対応する。或いは図５で後述するモノクロ表示パネルの場合、表示データＲＱ１、ＧＱ１、ＢＱ１は、ピクセルＰＸ１、ＰＸ２、ＰＸ５に対応する。
【００３８】
図２に示すように、モード設定信号がＢＳ＝０（広義には第１の論理レベル）、ＭＣ＝０の場合、第１入力モードのカラー表示モードであり、チャンネル間で表示データの複製は行わない。即ち、表示データＲＤ、ＧＤ、ＢＤとして、それぞれ第１色成分（Ｒ）、第２色成分（Ｇ）、第３色成分（Ｂ）の表示データが入力され、データ処理部２０は、表示データＲＱ１、ＧＱ１、ＢＱ１として、それぞれ第１色成分（Ｒ）、第２色成分（Ｇ）、第３色成分（Ｂ）の表示データを出力する。
【００３９】
モード設定信号がＢＳ＝０、ＭＣ＝１（広義には第２の論理レベル）の場合、第１入力モードのモノクロ表示モードであり、チャンネル間で表示データの複製は行わない。即ち、表示データＲＤ、ＧＤ、ＢＤとして、それぞれ第１のモノクロ（Ｍ１）、第２のモノクロ（Ｍ２）、第３のモノクロ（Ｍ３）の表示データが入力され、データ処理部２０は、表示データＲＱ１、ＧＱ１、ＢＱ１として、それぞれ第１のモノクロ（Ｍ１）、第２のモノクロ（Ｍ２）、第３のモノクロ（Ｍ３）の表示データを出力する。
【００４０】
モード設定信号がＢＳ＝１、ＭＣ＝０の場合、第２入力モードのカラー表示モードであり、チャンネル間で表示データの複製を行わない。即ち、表示データＲＤとして、第１色成分（Ｒ）、第２色成分（Ｇ）、第３色成分（Ｂ）の表示データがシリアルに入力され、データ処理部２０は、シリアルパラレル変換を行って、表示データＲＱ１、ＧＱ１、ＢＱ１として、それぞれ第１色成分（Ｒ）、第２色成分（Ｇ）、第３色成分（Ｂ）の表示データを出力する。
【００４１】
モード設定信号がＢＳ＝１、ＭＣ＝１の場合、第２入力モードのモノクロ表示モードであり、チャンネル間で表示データの複製を行う。即ち、表示データＲＤとして、モノクロ（Ｍ）の表示データが入力される。表示データＧＤ、ＢＤは任意（ｘ）であり、表示パネルの駆動には用いられない。データ処理部２０は、入力されたモノクロの表示データを複製し、３つの同じモノクロ（Ｍ）の表示データを、表示データＲＱ１、ＧＱ１、ＢＱ１として出力する。なお、データ処理部２０が画像処理を行った場合、インターフェース部１０から入力された表示データＲＤと、データ処理部２０が出力する表示データＲＱ１、ＧＱ１、ＢＱ１は異なってもよい。
【００４２】
後述するように、このＢＳ＝１、ＭＣ＝１の表示モードによって、カラー表示パネルとカラーフィルターの有無が異なるモノクロ表示パネル（図４）を駆動できるようになる。そして、このようなモノクロ表示を実現したことで、システムの制御や構成の変更を低減しながらカラー表示とモノクロ表示のシステムで回路装置１００を共通に用いることが可能になる。
【００４３】
次に、上記の各モードで表示パネルを駆動したときの動作を、図３〜図５を用いて説明する。なお以下では、アクティブマトリックス型の表示パネル（例えばＴＦＴ液晶パネル）のうち、デュアルゲートの表示パネルを例にとって説明するが、本発明はデュアルゲート以外（例えばシングルゲート、トリプルゲート）の表示パネルにも適用できる。また液晶パネルに限らず自発光パネル（例えば有機ＥＬパネル）等にも本発明を適用できる。
【００４４】
図３は、回路装置１００が駆動するカラー表示パネルの構成例であり、画素アレイの一部を示している。ピクセル（画素）ＰＸ１、ＰＸ２は１本目の水平表示ラインのピクセルであり、ピクセルＰＸ３、ＰＸ４は２本目の水平表示ラインのピクセルである。各ピクセルにはＲＧＢのサブピクセルが含まれる。例えばピクセルＰＸ１は、第１色（Ｒ）のカラーフィルターが設けられたサブピクセルＳＰ１Ｒ、第２色（Ｇ）のカラーフィルターが設けられたサブピクセルＳＰ１Ｇ、第３色（Ｂ）のカラーフィルターが設けられたサブピクセルＳＰ１Ｂで構成される。
【００４５】
データ線は各水平表示ラインにおいて２個のサブピクセルに共通に接続される。例えば１本目の水平表示ラインでは、データ線Ｓ１はサブピクセルＳＰ１Ｒ、ＳＰ１Ｇに接続され、データ線Ｓ２はサブピクセルＳＰ１Ｂ、ＳＰ２Ｒに接続される。ゲート線は各水平表示ラインに対して２本設けられる。１本のデータ線に接続される２個のサブピクセルのうち一方に、２本のゲート線の一方が接続され、１本のデータ線に接続される２個のサブピクセルのうち他方に、２本のゲート線の他方が接続される。例えば１本目の水平表示ラインにはゲート線Ｇ１、Ｇ２が設けられ、データ線Ｓ１に接続されるサブピクセルＳＰ１Ｒ、ＳＰ１ＧのうちサブピクセルＳＰ１Ｒにゲート線Ｇ１が接続され、サブピクセルＳＰ１Ｇにゲート線Ｇ２が接続される。
【００４６】
例えば１本目の水平表示ラインを駆動する水平走査期間では、その水平走査期間において回路装置１００はゲート線Ｇ１、Ｇ２を時分割に選択する。そして、ゲート線Ｇ１を選択した期間にサブピクセルＳＰ１Ｒ、ＳＰ１Ｂ、ＳＰ２Ｇのデータ電圧をデータ線Ｓ１、Ｓ２、Ｓ３に出力して、サブピクセルＳＰ１Ｒ、ＳＰ１Ｂ、ＳＰ２Ｇへの書き込みを行う。ゲート線Ｇ２を選択した期間にサブピクセルＳＰ１Ｇ、ＳＰ２Ｒ、ＳＰ２Ｂのデータ電圧をデータ線Ｓ１、Ｓ２、Ｓ３に出力して、サブピクセルＳＰ１Ｇ、ＳＰ２Ｒ、ＳＰ２Ｂへの書き込みを行う。
【００４７】
このカラー表示パネルは、図２のカラー表示モード（ＢＳ＝０又はＢＳ＝１、ＭＣ＝０）で駆動される。即ち、インターフェース部１０がＲＧＢの表示データＲＤ、ＧＤ、ＢＤを受け付け、データ処理部２０がＲＧＢの表示データＲＱ１、ＧＱ１、ＢＱ１を出力し、それらに対応するデータ電圧を駆動部６０がピクセルＰＸ１のサブピクセルＳＰ１Ｒ、ＳＰ１Ｇ、ＳＰ１Ｂへ書き込む。このようにして各ピクセルにＲＧＢのデータ電圧が書き込まれ、表示パネルにカラー画像が表示される。
【００４８】
図４は、回路装置１００が駆動するモノクロ表示パネルの第１構成例であり、画素アレイの一部を示している。このモノクロ表示パネルは、図３のカラー表示パネルとカラーフィルターの有無が異なる表示パネル（図３のカラー表示パネルにおいてカラーフィルターを形成しなかった場合の表示パネルと同一構造のパネル。図３のカラー表示パネルとＴＦＴ基板が同一のパネル）であり、画素アレイの構成は図３と同じである。即ち、ピクセルＰＸ１〜ＰＸ４の各ピクセルには３つのモノクロのサブピクセルが含まれる。例えばピクセルＰＸ１はサブピクセルＳＰ１１、ＳＰ１２、ＳＰ１３で構成され、このサブピクセルＳＰ１１、ＳＰ１２、ＳＰ１３は、図３のサブピクセルＳＰ１Ｒ、ＳＰ１Ｇ、ＳＰ１Ｂにおいてカラーフィルターを形成しなかったサブピクセルに相当する。
【００４９】
ここで、モノクロとは、単色の２値又はグレースケールのことであり、白黒に限らない。また、単色であればよいので同一色であれば色が付いていてもよい。この場合、サブピクセルには同一色のカラーフィルターが設けられていてもよい。
【００５０】
図３同様デュアルゲートなので、例えば１本目の水平表示ラインでは、データ線Ｓ１はサブピクセルＳＰ１１、ＳＰ１２に接続され、データ線Ｓ２はサブピクセルＳＰ１３、ＳＰ２１に接続される。また、データ線Ｓ１に接続されるサブピクセルＳＰ１１、ＳＰ１２のうちサブピクセルＳＰ１１にゲート線Ｇ１が接続され、サブピクセルＳＰ１２にゲート線Ｇ２が接続される。
【００５１】
例えば１本目の水平表示ラインを駆動する水平走査期間では、ゲート線Ｇ１を選択した期間にサブピクセルＳＰ１１、ＳＰ１３、ＳＰ２２のデータ電圧をデータ線Ｓ１、Ｓ２、Ｓ３に出力して、サブピクセルＳＰ１１、ＳＰ１３、ＳＰ２２への書き込みを行う。ゲート線Ｇ２を選択した期間にサブピクセルＳＰ１２、ＳＰ２１、ＳＰ２３のデータ電圧をデータ線Ｓ１、Ｓ２、Ｓ３に出力して、サブピクセルＳＰ１２、ＳＰ２１、ＳＰ２３への書き込みを行う。
【００５２】
このモノクロ表示パネルは、図２のモノクロ表示モード（ＢＳ＝０又はＢＳ＝１、ＭＣ＝１）で駆動される。ＢＳ＝０の場合、インターフェース部１０がモノクロ（Ｍ１、Ｍ２、Ｍ３）の表示データＲＤ、ＧＤ、ＢＤを受け付け、データ処理部２０がモノクロ（Ｍ１、Ｍ２、Ｍ３）の表示データＲＱ１、ＧＱ１、ＢＱ１を出力し、それらに対応するデータ電圧を駆動部６０がピクセルＰＸ１のサブピクセルＳＰ１１、ＳＰ１２、ＳＰ１３へ書き込む。このようにして３つのサブピクセルが個別のモノクロ画素として駆動され、高解像度の表示が可能となる。
【００５３】
ＢＳ＝１の場合、インターフェース部１０が第１色成分チャンネルからモノクロ（Ｍ）の表示データＲＤを受け付け、データ処理部２０がその表示データを第２色成分、第３色成分チャンネルに複製し、そのモノクロの表示データに対応するデータ電圧を駆動部６０がピクセルＰＸ１のサブピクセルＳＰ１１、ＳＰ１２、ＳＰ１３へ書き込む。このようにしてピクセルの３つのサブピクセルに同一のデータ電圧が書き込まれ、１つのモノクロ画素として駆動できる。
【００５４】
図５は、回路装置１００が駆動するモノクロ表示パネルの第２構成例であり、画素アレイの一部を示している。ピクセルＰＸ１、ＰＸ２、ＰＸ５は１本目の水平表示ラインのピクセルであり、ピクセルＰＸ３、ＰＸ４、ＰＸ６は２本目の水平表示ラインのピクセルである。これらのピクセルはモノクロのピクセルである。
【００５５】
データ線は各水平表示ラインにおいて２個のピクセルに共通に接続される。例えば１本目の水平表示ラインでは、データ線Ｓ１はピクセルＰＸ１、ＰＸ２に接続される。ゲート線は各水平表示ラインに対して２本設けられる。１本のデータ線に接続される２個のピクセルのうち一方に、２本のゲート線の一方が接続され、１本のデータ線に接続される２個のピクセルのうち他方に、２本のゲート線の他方が接続される。例えば１本目の水平表示ラインにはゲート線Ｇ１、Ｇ２が設けられ、データ線Ｓ１に接続されるピクセルＰＸ１、ＰＸ２のうちピクセルＰＸ１にゲート線Ｇ１が接続され、ピクセルＰＸ２にゲート線Ｇ２が接続される。
【００５６】
例えば１本目の水平表示ラインを駆動する水平走査期間では、その水平走査期間において回路装置１００はゲート線Ｇ１、Ｇ２を時分割に選択する。そして、ゲート線Ｇ１を選択した期間にピクセルＰＸ１のデータ電圧をデータ線Ｓ１に出力して、ピクセルＰＸ１への書き込みを行う。ゲート線Ｇ２を選択した期間にピクセルＰＸ２のデータ電圧をデータ線Ｓ１に出力して、ピクセルＰＸ２への書き込みを行う。
【００５７】
このカラー表示パネルは、図２のモノクロ表示モード（ＢＳ＝０、ＭＣ＝１）で駆動される。即ち、インターフェース部１０がモノクロ（Ｍ１、Ｍ２、Ｍ３）の表示データＲＤ、ＧＤ、ＢＤを受け付け、データ処理部２０がモノクロ（Ｍ１、Ｍ２、Ｍ３）の表示データＲＱ１、ＧＱ１、ＢＱ１を出力し、それらに対応するデータ電圧を駆動部６０がピクセルＰＸ１、ＰＸ２、ＰＸ５へ書き込む。このようにして各ピクセルがモノクロ画素として駆動される。
【００５８】
以上のように、本実施形態の回路装置１００は、表示データＲＤ、ＧＤ、ＢＤが入力されるインターフェース部１０と、表示データＲＤ、ＧＤ、ＢＤのデータ処理を行うデータ処理部２０と、データ処理部２０からの表示データＲＱ１、ＧＱ１、ＢＱ１に基づいて表示パネルを駆動する駆動部６０と、を含む。データ処理部２０は、インターフェース部１０の第１色成分入力チャンネルに入力された表示データＲＤを、同じピクセルの第１色成分チャンネル、第２色成分チャンネル、第３色成分チャンネルに設定するデータ処理を行う。駆動部６０は、第１色成分チャンネル、第２色成分チャンネル、第３色成分チャンネルに設定された表示データに基づいて、表示パネルの駆動を行う。
【００５９】
具体的には、図２の第２入力モードのモノクロ表示モード（ＢＳ＝１、ＭＣ＝１）において、データ処理部２０は、第１色成分入力チャンネルに入力されたモノクロの表示データＲＤを複製（又は画像処理及び複製）し、同じピクセルＰＸ１のサブピクセルＳＰ１１、ＳＰ１２、ＳＰ１３の表示データＲＱ１、ＧＱ１、ＢＱ１として同一のモノクロの表示データを出力する。
【００６０】
これにより、図４で説明したように、カラー表示パネルからカラーフィルターを取り除いて構成されたモノクロ表示パネルを駆動できるようになる。このとき、インターフェース部１０の第１色成分入力チャンネルに入力される表示データＲＤは、１サブピクセルの表示データであり、それが内部で３サブピクセルの表示データに複製されるので、表示データの入力レートは第１入力モードのカラー表示モード（ＢＳ＝０、ＭＣ＝０）と同じである。即ち、表示データを回路装置１００に供給する表示コントローラーから見た場合、第１色成分入力チャンネルをモノクロ表示データにするだけで、データ転送レートの変更は必要ない。また、データ転送レートが変わらないのでシリアルパラレル変換回路等を新たに設ける必要もない。即ち、表示パネルを図４のような表示パネルに入れ替え、表示コントローラーが出力する表示データをモノクロ用のデータにしただけで、カラー表示とモノクロ表示を組み替えることができる。
【００６１】
また、インターフェース部１０の第２色成分チャンネル、第３色成分チャンネルに仮にデータが入力されたとしても、駆動には用いられないので、第１入力モードのカラー表示モードと同じ表示データを入力したとしても、第１色成分チャンネルの表示データによってモノクロ表示が行われる。この場合、表示コントローラーから見れば制御に変更がないので、表示パネルを図４のものに変えるだけでモノクロ表示を実現することも可能である。
【００６２】
また本実施形態では、駆動部６０は、第１色成分チャンネルに設定された表示データＲＱ１に基づいて、ピクセルＰＸ１を構成する第１サブピクセルＳＰ１１を駆動し、第２色成分チャンネルに設定された表示データＧＱ１に基づいて、ピクセルＰＸ１を構成する第２サブピクセルＳＰ１２駆動し、第３色成分チャンネルに設定された表示データＢＱ１に基づいて、ピクセルＰＸ１を構成する第３サブピクセルＳＰ１３を駆動する。
【００６３】
図２の第２入力モードのモノクロ表示モード（ＢＳ＝１、ＭＣ＝１）において、第１色成分チャンネル、第２色成分チャンネル、第３色成分チャンネルに設定された表示データＲＱ１、ＧＱ１、ＢＱ１は、第１色成分チャンネルに入力された表示データＲＤに基づく同一のモノクロ表示データなので、同一のピクセルＰＸ１を構成する第１〜第３サブピクセルＳＰ１１〜ＳＰ１３には、同一データ電圧が書き込まれることになる。即ち、ピクセルＰＸ１が１つの表示単位となり、ピクセルＰＸ１のＲＧＢのサブピクセルで１つの表示単位となるカラー表示と同様のピクセル構成（解像度）となる。このようにして、カラー表示パネルと、カラー表示パネルからカラーフィルターを取り除いて構成されたモノクロ表示パネルを、同じ回路装置１００で（モード変更により）駆動することが可能になる。
【００６４】
また本実施形態の回路装置１００は、モノクロ表示モード（第２入力モードのモノクロ表示モード（ＢＳ＝１、ＭＣ＝１））とカラー表示モード（第１入力モードのカラー表示モード（ＢＳ＝０、ＭＣ＝０））が設定されることが可能である（モノクロ表示モードとカラー表示モードで動作することが可能である）。データ処理部２０は、モノクロ表示モードに設定されていた場合には、インターフェース部１０の第１色成分入力チャンネルに入力された表示データＲＤを、同じピクセルＰＸ１の第１色成分チャンネル、第２色成分チャンネル、第３色成分チャンネルに設定するデータ処理を行う。カラー表示モードに設定されていた場合には、インターフェース部１０の第１色成分入力チャンネルに入力された表示データＲＤをピクセルＰＸ１の第１色成分チャンネルに設定し、インターフェース部１０の第２色成分入力チャンネルに入力された表示データＧＤをピクセルＰＸ１の第２色成分チャンネルに設定し、インターフェース部１０の第３色成分入力チャンネルに入力された表示データＢＤを、ピクセルＰＸ１の第３色成分チャンネルに設定するデータ処理を行う。
【００６５】
このように、回路装置１００がモノクロ表示モード（ＢＳ＝１、ＭＣ＝１）と、カラー表示モード（ＢＳ＝０、ＭＣ＝０）を有することによって、図３のカラー表示パネルと図４のモノクロ表示パネルを同じ回路装置１００で駆動できる。即ち、これらのモードを切り替えることにより同じ回路装置１００を図３のカラー表示パネルと図４のモノクロ表示パネルに組み合わせることが可能となる。
【００６６】
また本実施形態の回路装置１００は、モノクロ表示モード、カラー表示モードを設定するための端子又はモード設定部を有する。
【００６７】
図１の構成例では、端子ＴＢＳ、ＴＭＣが、モノクロ表示モード、カラー表示モードを設定するための端子に対応する。
【００６８】
図６に、本実施形態の回路装置１００の第２構成例を示す。この構成例では、回路装置１００は、モノクロ表示モード、カラー表示モードを設定するためのモード設定部７０を含む。また回路装置１００は、インターフェース部１０、データ処理部２０、Ｄ／Ａ変換部３０、駆動部６０、第１色成分入力端子ＴＲＤ、第２色成分入力端子ＴＧＤ、第３色成分入力端子ＴＢＤ、クロック入力端子ＴＰＣＫ、インターフェース端子ＴＭＰＩ、データ線駆動端子ＴＳ１〜ＴＳｎ、ゲート線駆動端子ＴＧ１〜ＴＧｍを含む。なお図１等で説明した構成要素と同一の構成要素については同一の符号を付し、適宜説明を省略する。
【００６９】
例えば、インターフェース部１０には、表示コントローラーから端子ＴＭＰＩを介した通信により例えばコマンド或いは制御信号等が入力される。そして、モード設定部７０は、そのコマンドや制御信号に基づいて、モノクロ表示モード又はカラー表示モードを設定し、そのモード設定信号をデータ処理部２０へ出力する。モード設定部７０は、例えばレジスターや、コマンドや制御信号を処理してレジスターへのアクセスを行う処理回路等により実現される。
【００７０】
或いは、モード設定部７０は、ヒューズ等により回路装置１００の製造時においてモノクロ表示モード又はカラー表示モードが設定されてもよい。また或いは、モード設定部７０は、不揮発性メモリーとその制御回路を含み、回路装置１００の製造時や表示装置の組み立て時においてモノクロ表示モード又はカラー表示モードの設定値が不揮発性メモリーに書き込まれてもよい。また或いは、モード設定部７０は、回路装置１００に接続された表示パネルからの識別信号等に基づいてモノクロ表示モード又はカラー表示モードを設定してもよい。
【００７１】
以上のように、モノクロ表示モード、カラー表示モードを設定するための端子又はモード設定部が設けられることで、回路装置１００に組み合わせる表示パネルに応じて表示モードを設定できる。基本的には、表示装置として組み合わせた表示パネルの種類でモードが決まるので、表示装置の製品として使う際にはモードは１つに固定されている。そのため、実装基板上でプルアップやプルダウンする端子設定や、ヒューズ又は不揮発性メモリー等で実現されるモード設定部７０によって、モードが固定される。なお当然ながら、レジスター等にＭＰＵ等からモード設定を行ってもよい。
【００７２】
また本実施形態では、回路装置１００は、第１色成分入力チャンネルの表示データＲＤをインターフェース部１０に入力する第１色成分入力端子ＴＲＤと、第２色成分入力チャンネルの表示データＧＤをインターフェース部１０に入力する第２色成分入力端子ＴＧＤと、第３色成分入力チャンネルの表示データＢＤをインターフェース部１０に入力する第３色成分入力端子ＴＢＤと、を含む。データ処理部２０は、モノクロ表示モード（ＢＳ＝１、ＭＣ＝１）に設定されていた場合には、第１色成分入力端子ＴＲＤに入力されたモノクロ表示データＲＤを、同じピクセルＰＸ１の第１色成分チャンネル、第２色成分チャンネル、第３色成分チャンネルに設定するデータ処理を行う。
【００７３】
このように各色成分チャンネルに対応する入力端子ＴＲＤ、ＴＧＤ、ＴＢＤが設けられると共に、モノクロ表示モード（ＢＳ＝１、ＭＣ＝１）において第１色成分チャンネルの表示データの複製を行うことで、第２色成分チャンネル、第３色成分チャンネルの表示データが内部で補われる。これにより、モノクロ表示モード（ＢＳ＝１、ＭＣ＝１）においてもカラー表示モード（ＢＳ＝０、ＭＣ＝０）と同じデータレートで表示データを転送できる。
【００７４】
なお、この端子構成に限らず、回路装置１００は、第１色成分入力チャンネルの表示データＲＤと第２色成分入力チャンネルの表示データＧＤと第３色成分入力チャンネルの表示データＢＤがシリアルにインターフェース部１０に入力する入力端子を有してもよい。この場合、インターフェース部１０はシリアルパラレル変換により、表示データＲＤ、ＧＤ、ＢＤを分離する。モノクロ表示モード（ＢＳ＝１、ＭＣ＝１）では、シリアルに入力される表示データのうち、表示データＲＤだけが受け付けられることになる。この場合においても、シリアルに転送される表示データのデータレートはカラー表示モードとモノクロ表示モードで同じであり、表示コントローラーの制御変更は少なくて済む。
【００７５】
また本実施形態では、回路装置１００は、第１端子設定モード（ＢＳ＝１）と第２端子設定モード（ＢＳ＝０）を有する。第１端子設定モード（ＢＳ＝１）では、インターフェース部１０は、第１色成分入力端子ＴＲＤの表示データＲＤを受け付け、第２色成分入力端子ＴＧＤ、第３色成分入力端子ＴＢＤの表示データＧＤ、ＢＤを受け付けない。第２端子設定モード（ＢＳ＝０）では、インターフェース部１０は、第１色成分入力端子ＴＲＤ、第２色成分入力端子ＴＧＤ、第３色成分入力端子ＴＢＤの表示データＲＤ、ＧＤ、ＢＤを受け付ける。第１端子設定モードにおいて、モノクロ表示モード（ＢＳ＝１、ＭＣ＝１）に設定された場合に、データ処理部２０は、インターフェース部１０の第１色成分入力チャンネルに入力された表示データを、同じピクセルの第１色成分チャンネル、第２色成分チャンネル、第３色成分チャンネルに設定するデータ処理を行う。
【００７６】
このように第１端子設定モード（ＢＳ＝１）又は第２端子設定モード（ＢＳ＝０）を設定することで、表示データをチャンネル間で複製するか否かを設定できる。そして第１端子設定モードを設定した場合には、モノクロ表示モード（ＢＳ＝１、ＭＣ＝１）において表示データをチャンネル間で複製し、同じピクセルの３つのサブピクセルに同じデータ電圧を書き込むことができる。
【００７７】
また本実施形態では、第２端子設定モード（ＢＳ＝０）において、モノクロ表示モード（ＭＣ＝１）に設定された場合に、データ処理部２０は、インターフェース部１０の第１色成分入力チャンネル、第２色成分入力チャンネル、第３色成分入力チャンネルに入力された表示データＲＤ、ＧＤ、ＢＤを、ピクセル（例えばピクセルＰＸ１）の第１色成分チャンネル、第２色成分チャンネル、第３色成分チャンネルに設定するデータ処理を行う。
【００７８】
なお、第２端子設定モードでは、カラー表示モード（ＢＳ＝０、ＭＣ＝０）に設定された場合にも、同様にデータ処理部２０は、インターフェース部１０の第１色成分入力チャンネル、第２色成分入力チャンネル、第３色成分入力チャンネルに入力された表示データＲＤ、ＧＤ、ＢＤを、ピクセル（例えばピクセルＰＸ１）の第１色成分チャンネル、第２色成分チャンネル、第３色成分チャンネルに設定するデータ処理を行う。
【００７９】
このように第２端子設定モードを設定した場合には、表示データをチャンネル間で複製せず、各色成分チャンネルに入力された表示データで表示処理を行う。これにより、モノクロ表示モードでは、１ピクセルの中の３サブピクセルに別個のデータ電圧が書き込まれ、各サブピクセルがモノクロ画像の表示単位となる。これにより、ピクセルのサイズが同じである場合において比較すると、１ピクセルを表示単位とする場合に比べてサブピクセルを表示単位とする場合の方が水平方向（又はトリプルゲートでは垂直方向）の解像度が３倍となり、高解像なモノクロ表示が可能になる。また、カラー表示モードと同じ表示制御になるので、表示コントローラーは表示データを変えるだけでモノクロ表示が可能となり、また回路装置１００は表示制御を変える必要がない。
【００８０】
なお、図２で説明したように、第１端子設定モード（ＢＳ＝１）においてカラー表示モード（ＭＣ＝０）に設定されてもよい。この場合、第１色成分入力端子ＴＲＤからインターフェース部１０に、第１色成分入力チャンネル、第２色成分入力チャンネル、第３色成分入力チャンネルの表示データがシリアルに入力される。そして、データ処理部２０は、第１色成分入力端子ＴＲＤから入力された第１色成分入力チャンネル、第２色成分入力チャンネル、第３色成分入力チャンネルの表示データを、同じピクセル（例えばＰＸ１）の第１色成分チャンネル、第２色成分チャンネル、第３色成分チャンネルに設定するデータ処理を行う。
【００８１】
また本実施形態では、インターフェース部１０は、差動入力の表示データが入力されるインターフェース部であってもよい。具体的にはＬＶＤＳ（Low Voltage Differential Signal）方式のインターフェース部であってもよい。ＬＶＤＳ方式は、電源電圧よりも小さい電圧振幅の差動信号でＩＣ間の通信を行う方式であり、送信側は差動電流により差動信号を駆動し、受信側は終端抵抗で差動電流を差動電圧に変換して差動信号を受信する方式である。
【００８２】
上述した特許文献１のようにモノクロ表示モードにおいてデータ転送レートが３倍になる構成においてＬＶＤＳ方式を採用した場合、ＬＶＤＳの通信速度を３倍に対応させる必要がある。この点、本実施形態ではモノクロ表示モードとカラー表示モードのデータ転送レートが同じなので、ＬＶＤＳの高速化が不要になる。
【００８３】
３．データ処理部
図７に、データ処理部２０の詳細な構成例を示す。データ処理部２０は、シリアルパラレル変換回路２１、第１のラッチ回路２２、選択回路２３、第２のラッチ回路２４、制御回路２５を含む。
【００８４】
シリアルパラレル変換回路２１に入力される表示データＲＤ、ＧＤ、ＢＤは、クロック信号ＰＣＫに同期して各画素の表示データがシリアルに入力されたものである。シリアルパラレル変換回路２１は、その表示データＲＤ、ＧＤ、ＢＤをシリアルパラレル変換して、各サブピクセル又は各ピクセルの表示データＲＤ１、ＧＤ１、ＢＤ１、ＲＤ２、ＧＤ２、ＢＤ２、・・・を出力する。
【００８５】
ラッチ回路２２は、シリアルパラレル変換回路２１からの表示データＲＤ１、ＧＤ１、ＢＤ１、ＲＤ２、ＧＤ２、ＢＤ２、・・・をラッチし、そのラッチした表示データＲＬ１、ＧＬ１、ＢＬ１、ＲＬ２、ＧＬ２、ＢＬ２、・・・を出力する。ラッチ回路２２は、例えば１水平表示ライン分の表示データをラッチするラインラッチである。
【００８６】
選択回路２３は、ラッチ回路２２からの表示データＲＬ１、ＧＬ１、ＢＬ１、ＲＬ２、ＧＬ２、ＢＬ２、・・・を受けて、モード設定信号ＢＳに応じて選択した表示データＲＳ１、ＧＳ１、ＢＳ１、ＲＳ２、ＧＳ２、ＢＳ２、・・・を出力する。
【００８７】
ラッチ回路２４は、選択回路２３からの表示データＲＳ１、ＧＳ１、ＢＳ１、ＲＳ２、ＧＳ２、ＢＳ２、・・・をラッチし、そのラッチした表示データＲＱ１、ＧＱ１、ＢＱ１、ＲＱ２、ＧＱ２、ＢＱ２、・・・を出力する。ラッチ回路２４は、例えば１水平表示ライン分の表示データをラッチするラインラッチである。例えば第１の水平表示ラインを例にとると、表示データＲＱ１、ＧＱ１、ＢＱ１、ＲＱ２、ＧＱ２、ＢＱ２は、図３のサブピクセルＳＰ１Ｒ、ＳＰ１Ｇ、ＳＰ１Ｂ、ＳＰ２Ｒ、ＳＰ２Ｇ、ＳＰ２Ｂの表示データ、或いは、図４のサブピクセルＳＰ１１、ＳＰ１２、ＳＰ１３、ＳＰ２１、ＳＰ２２、ＳＰ２３の表示データである。或いは、表示データＲＱ１、ＧＱ１、ＢＱ１は、図５のピクセルＰＸ１、ＰＸ２、ＰＸ５の表示データである。
【００８８】
制御回路２５（タイミングコントローラー）は、モード設定信号ＢＳ、ＭＳやクロック信号ＰＣＫ、同期信号、表示コントローラーからのコマンド等に基づいて、駆動タイミングの制御や、回路装置１００の各部の動作の制御を行う。制御回路２５は、例えばゲートアレイ等のロジック回路で実現される。
【００８９】
図８に、第１のラッチ回路２２、選択回路２３、第２のラッチ回路２４の詳細な構成例を示す。
【００９０】
ラッチ回路２２は、シリアルパラレル変換回路２１からの表示データＲＤ１、ＧＤ１、ＢＤ１、ＲＤ２、ＧＤ２、ＢＤ２、・・・をラッチするラッチＬＡ１、ＬＡ２、ＬＡ３、ＬＡ４、ＬＡ５、ＬＡ６、・・・を含む。各表示データは複数のビットで構成されるので、各ラッチは、実際には表示データのビット数分のラッチで構成されている。
【００９１】
選択回路２３は、表示データＲＬ１、ＧＬ１のいずれかを選択するセレクターＳＬ１と、表示データＲＬ１、ＢＬ１のいずれかを選択するセレクターＳＬ２と、表示データＲＬ２、ＧＬ２のいずれかを選択するセレクターＳＬ３と、表示データＲＬ２、ＢＬ２のいずれかを選択するセレクターＳＬ４と、を含む。モード設定信号がＢＳ＝０の場合、セレクターＳＬ１、ＳＬ２、ＳＬ３、ＳＬ４は表示データＧＬ１、ＢＬ１、ＧＬ２、ＢＬ２を選択する。即ち、（ＲＳ１，ＧＳ１，ＢＳ１）＝（ＲＬ１，ＧＬ１，ＢＬ１）、（ＲＳ２，ＧＳ２，ＢＳ２）＝（ＲＬ２，ＧＬ２，ＢＬ２）となる。モード設定信号がＢＳ＝１の場合、セレクターＳＬ１、ＳＬ２、ＳＬ３、ＳＬ４は表示データＲＬ１、ＲＬ１、ＲＬ２、ＲＬ２を選択する。即ち、（ＲＳ１，ＧＳ１，ＢＳ１）＝（ＲＬ１，ＲＬ１，ＲＬ１）、（ＲＳ２，ＧＳ２，ＢＳ２）＝（ＲＬ２，ＲＬ２，ＲＬ２）となる。
【００９２】
ラッチ回路２４は、選択回路２３からの表示データＲＳ１、ＧＳ１、ＢＳ１、ＲＳ２、ＧＳ２、ＢＳ２、・・・をラッチするラッチＬＢ１、ＬＢ２、ＬＢ３、ＬＢ４、ＬＢ５、ＬＢ６、・・・を含む。各ラッチは、実際には表示データのビット数分のラッチで構成されている。ラッチＬＢ１、ＬＢ２、ＬＢ３、ＬＢ４、ＬＢ５、ＬＢ６、・・・は、ラッチした表示データＲＱ１、ＧＱ１、ＢＱ１、ＲＱ２、ＧＱ２、ＢＱ２、・・・を出力する。
【００９３】
なお図７、図８では、ラッチ回路２２に記憶した第１色成分チャンネルの表示データを複製して、別のラッチ回路２４の第１〜第３色成分チャンネルの表示データとして記憶させる場合を例に説明したが、本発明の実施形態はこれに限定されない。例えばラッチ回路２２に記憶した第１色成分チャンネルの表示データを複製して、同じラッチ回路２２の第２、第３色成分チャンネルの表示データとして記憶させてもよい。
【００９４】
４．電子機器、電気光学装置
図９に、本実施形態の回路装置１００を適用できる電気光学装置と電子機器の構成例を示す。本実施形態の電子機器として、例えば車載表示装置（例えばメーターパネル等）、プロジェクターや、テレビション装置、情報処理装置（コンピューター）、携帯型情報端末、カーナビゲーションシステム、携帯型ゲーム端末等の、表示装置を搭載する種々の電子機器を想定できる。
【００９５】
図９に示す電子機器は、電気光学装置３５０、ＣＰＵ３１０（広義には処理装置）、表示コントローラー３００（ホストコントローラー）、記憶部３２０、ユーザーインターフェース部３３０、データインターフェース部３４０を含む。電気光学装置３５０は回路装置１００（表示ドライバー）、表示パネル２００を含む。
【００９６】
表示パネル２００は例えばマトリックス型の液晶表示パネルである。或は、表示パネル２００は自発光素子を用いたＥＬ（Electro-Luminescence）表示パネルであってもよい。例えば、ガラス基板に表示パネル２００が形成され、そのガラス基板に回路装置１００が実装される。この表示パネル２００と回路装置１００を含むモジュールとして電気光学装置３５０が構成される（電気光学装置３５０には更に表示コントローラー３００が含まれてもよい）。なお、表示コントローラー３００、回路装置１００はモジュールとして構成されずに個々の部品として電子機器に組み込まれてもよい。
【００９７】
ユーザーインターフェース部３３０は、ユーザーからの種々の操作を受け付けるインターフェース部である。例えば、ボタンやマウス、キーボード、表示パネル２００に装着されたタッチパネル等で構成される。データインターフェース部３４０は、画像データや制御データの入出力を行うインターフェース部である。例えばＵＳＢ等の有線通信インターフェースや、或は無線ＬＡＮ等の無線通信インターフェースである。記憶部３２０は、データインターフェース部３４０から入力された画像データを記憶する。或は、記憶部３２０は、ＣＰＵ３１０や表示コントローラー３００のワーキングメモリーとして機能する。ＣＰＵ３１０は、電子機器の各部の制御処理や種々のデータ処理を行う。表示コントローラー３００は回路装置１００の制御処理を行う。例えば、表示コントローラー３００は、データインターフェース部３４０や記憶部３２０からＣＰＵ３１０を介して転送された画像データを、回路装置１００が受け付け可能な形式に変換し、その変換された画像データを回路装置１００へ出力する。回路装置１００は、表示コントローラー３００から転送された画像データに基づいて表示パネル２００を駆動する。
【００９８】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語（回路装置、第１色、第２色、第３色等）と共に記載された用語（表示ドライバー、赤色、緑色、青色等）は、明細書又は図面のいかなる箇所においても、その異なる用語に置き換えることができる。また本実施形態及び変形例の全ての組み合わせも、本発明の範囲に含まれる。また駆動部、Ｄ／Ａ変換部、データ処理部、インターフェース部、回路装置、電気光学装置、電子機器の構成・動作等も、本実施形態で説明したものに限定されず、種々の変形実施が可能である。
【符号の説明】
【００９９】
１０  インターフェース部、２０  データ処理部、２１  シリアルパラレル変換回路、
２２  ラッチ回路、２３  選択回路、２４  ラッチ回路、２５  制御回路、
３０  Ｄ／Ａ変換部、４０  データ線駆動部、５０  ゲート線駆動部、６０  駆動部、
７０  モード設定部、１００  回路装置、２００  表示パネル、
３００  表示コントローラー、３１０  ＣＰＵ、３２０  記憶部、
３３０  ユーザーインターフェース部、３４０  データインターフェース部、
３５０  電気光学装置、
ＢＤ  第３色成分入力チャンネルの表示データ、
ＢＱ１  第３色成分チャンネルの表示データ、ＢＳ  モード設定信号、
Ｇ１  ゲート線、ＧＤ  第２色成分入力チャンネルの表示データ、
ＧＱ１  第２色成分チャンネルの表示データ、ＭＣ  モード設定信号、
ＰＸ１  ピクセル、ＲＤ  第１色成分入力チャンネルの表示データ、
ＲＱ１  第１色成分チャンネルの表示データ、Ｓ１  データ線、
ＳＰ１１  第１サブピクセル、ＳＰ１２  第２サブピクセル、
ＳＰ１３  第３サブピクセル、ＴＢＤ  第３色成分入力端子、
ＴＢＳ  モード設定端子、ＴＧＤ  第２色成分入力端子、
ＴＭＣ  モード設定端子、ＴＲＤ  第１色成分入力端子
【図１】
0006641821.tif 000002
【図２】
0006641821.tif 000003
【図３】
0006641821.tif 000004
【図４】
0006641821.tif 000005
【図５】
0006641821.tif 000006
【図６】
0006641821.tif 000007
【図７】
0006641821.tif 000008
【図８】
0006641821.tif 000009
【図９】
0006641821.tif 000010